(57)【要約】【課題】周囲気圧等が変化しても除電不良を正確に検知することが可能な除電装置を提供する。【解決手段】予め、正常状態で共通放電電極１０の周囲気圧を変化させて、各周囲気圧毎に電流測定用抵抗２８の負荷電圧レベルを測定し、それら各負荷電圧レベル（最適レベル）が、それに対応する周囲気圧時での圧力センサ１６からの出力レベルと対応付けられてメモリに記憶されている。制御回路２０は、圧力センサ１６からの出力レベルと電流測定用抵抗２８の負荷電圧レベルとを順次取り込んで、圧力センサ１６からの出力レベルに対応する最適レベルを読み出して、その最適レベルから上下に所定値だけシフトさせた２つの基準レベルを算出し、電流測定用抵抗２８の負荷電圧レベルが、両基準レベル間の範囲内にあるか否かで除電不不良の判定を行う。【選択図】　図３
2004127858.tif 000002
【特許請求の範囲】
【請求項１】
電圧電源により放電電極に電圧を印加して前記放電電極にコロナ放電を発生させることで正負の空気イオンを生成する除電装置において、
前記放電電極の周囲気圧を測定する気圧測定手段と、
前記コロナ放電により生成されたイオンの生成量を測定するイオン生成量測定手段と、
前記イオン生成量測定手段によって測定された測定イオン生成量と、前記気圧測定手段によって測定された測定気圧に対応した基準イオン生成量とに基づいて除電不良を検知する除電不良検知手段とを備えたことを特徴とする除電装置。
【請求項２】
予め前記周囲気圧の変化に応じた基準イオン生成量に対応する基準レベルが各周囲気圧毎に対応付けて記憶される記憶手段を備えて、
前記除電不良検知手段は、前記気圧測定手段によって測定された測定気圧に対応する前記基準レベルを前記記憶手段から読み出し、この読み出された前記基準レベルと、前記イオン生成量測定手段によって測定された測定イオン生成量とを比較し、この比較結果に応じた検知動作を行うことを特徴とする請求項１記載の除電装置。
【請求項３】
前記放電電極の周囲温度及び周囲湿度のうち少なくとも一方を測定する周囲雰囲気測定手段を備えて、
前記除電不良検知手段は、前記イオン生成量測定手段による測定イオン生成量及び前記気圧測定手段による測定気圧に加えて、前記周囲雰囲気測定手段での測定結果に基づいて除電不良を検知することを特徴とする請求項１記載の除電装置。
【請求項４】
予め前記周囲気圧及び前記周囲雰囲気測定手段による測定結果の変化に応じた基準イオン生成量に対応する基準レベルが各周囲気圧及び前記周囲雰囲気測定手段による測定結果の組合せ毎に対応付けて記憶される記憶手段を備えて、
前記除電不良検知手段は、前記気圧測定手段によって測定された測定気圧及び前記周囲雰囲気測定手段によって測定された測定結果に対応する前記基準レベルを前記記憶手段から読み出し、この読み出された前記基準レベルと、前記イオン生成量測定手段によって測定された測定イオン生成量とを比較し、この比較結果に応じた検知動作を行うことを特徴とする請求項３記載の除電装置。
【発明の詳細な説明】
【０００１】
【発明の属する技術分野】
【０００２】
本発明は、放電電極に電圧を印加してコロナ放電させることで正負の空気イオンを生成する除電装置に関する。
【０００３】
【従来の技術】
除電装置は、例えばイオン生成室内に配された放電電極と接地電極との間に一定振幅の交流高電圧を印加してコロナ放電させることで正負の空気イオンを交互に生成し、これら正負の空気イオンを帯電体に吹き付けて中和させるものである。
この種の除電装置においては、例えば放電電極に周囲空気中の埃等が付着したり、長期使用により放電電極の先端が磨耗したりすることによって、放電電極から生成されるイオン生成量が低下してしまい、十分な除電効果を得ることができない異常状態（除電不良）になることがある。そこで、従来では、接地電極とグランドラインとの間に電流測定用の抵抗を接続し、その抵抗の負荷電圧レベルを、所定の基準レベル（例えば埃等の付着や先端磨耗が生じていない正常時における上記抵抗の負荷電圧レベルよりやや高いレベル）と比較することにより基準イオン生成量よりも低下した除電不良を検知するものがある（特許文献１参照）。
【０００４】
【特許文献１】
特開２００１−８５１９１公報
【０００５】
【発明が解決しようとする課題】
ところで、イオン生成量は、周囲気圧や周囲温度等の周囲環境によって変化する。つまり、イオン生成量は、上記除電不良によるだけでなく、周囲環境の変化によっても低下するのである。従って、周囲環境にかかわらず一律の基準レベルで検知動作を行う上記の従来構成では、何ら除電不良が生じていない場合であっても周囲環境変化によってイオン生成量が基準レベル以下となって除電不良であるとの誤判定を行ってしまうといった問題がある。
本発明は、上記事情に鑑みてなされたもので、その目的は、周囲気圧等が変化しても除電不良を正確に検知することが可能な除電装置を提供するところにある。
【０００６】
【課題を解決するための手段】
上記目的を達成するため、請求項１の発明に係る除電装置は、電圧電源により放電電極に電圧を印加して放電電極にコロナ放電を発生させることで正負の空気イオンを生成する除電装置において、放電電極の周囲気圧を測定する気圧測定手段と、コロナ放電により生成されたイオンの生成量を測定するイオン生成量測定手段と、イオン生成量測定手段によって測定された測定イオン生成量と、気圧測定手段によって測定された測定気圧に対応した基準イオン生成量とに基づいて除電不良を検知する除電不良検知手段とを備えたところに特徴を有する。
【０００７】
請求項２の発明は、請求項１記載の除電装置において、予め周囲気圧の変化に応じた基準イオン生成量に対応する基準レベルが各周囲気圧毎に対応付けて記憶される記憶手段を備えて、除電不良検知手段は、気圧測定手段によって測定された測定気圧に対応する基準レベルを記憶手段から読み出し、この読み出された基準レベルと、イオン生成量測定手段によって測定された測定イオン生成量とを比較し、この比較結果に応じた検知動作を行うところに特徴を有する。
【０００８】
請求項３の発明は、請求項１記載の除電装置において、放電電極の周囲温度及び周囲湿度のうち少なくとも一方を測定する周囲雰囲気測定手段を備えて、除電不良検知手段は、イオン生成量測定手段による測定イオン生成量及び気圧測定手段による測定気圧に加えて、周囲雰囲気測定手段での測定結果に基づいて除電不良を検知するところに特徴を有する。
【０００９】
請求項４の発明は、請求項３記載の除電装において、予め周囲気圧及び周囲雰囲気測定手段による測定結果の変化に応じた基準イオン生成量に対応する基準レベルが各周囲気圧及び周囲雰囲気測定手段による測定結果の組合せ毎に対応付けて記憶される記憶手段を備えて、除電不良検知手段は、気圧測定手段によって測定された測定気圧及び周囲雰囲気測定手段によって測定された測定結果に対応する基準レベルを記憶手段から読み出し、この読み出された基準レベルと、イオン生成量測定手段によって測定された測定イオン生成量とを比較し、この比較結果に応じた検知動作を行うところに特徴を有する。
【００１０】
【発明の作用及び効果】
＜請求項１及び請求項２の発明＞
本発明の構成では、放電電極の周囲気圧、及び、コロナ放電によって生成されたイオン生成量とを測定し、その測定イオン生成量と、上記測定気圧に対応付けられた基準イオン生成量（埃等の付着や先端磨耗が生じていないときのイオン生成量）とに基づいて除電不良を検知するよう構成した。即ち、測定されたイオン生成量は、そのときの周囲気圧下における基準イオン生成量に対応した基準レベルと比較され、その比較結果に基づいて除電不良の検知動作を行うのである。従って、何ら除電不良が生じていないにもかかわらず周囲環境変化によってイオン生成量が基準レベル以下となって除電不良であるとの誤判定を行ってしまうことなく、除電不良を正確に検知することができる。そして、除電不良検知手段により除電不良が検知されたときに、例えば、警告音を鳴らしたり発光手段を点灯させたりするなど除電不良を外部に報知させる構成や、除電装置自体を停止させる構成などを用いることにより十分な除電効果が得られない除電不良下で継続して使用されるといった問題を回避することができる。
【００１１】
＜請求項３及び請求項４の発明＞
イオン生成量は、放電電極の周囲気圧の変化だけでなく、周囲温度或いは周囲湿度の変化によっても変動することがある。そこで、本発明の構成によれば、周囲温度及び周囲湿度のうち少なくとも一方（即ち、「周囲温度だけ」、「周囲湿度だけ」或いは「周囲温度及び周囲湿度の両方」）をも測定し、その測定結果、上記測定気圧及び測定イオン生成量に基づいて除電不良を検知するよう構成した。従って、周囲気圧変化だけでなく、周囲温度或いは周囲湿度が変化する場合であっても除電不良を正確に検知することができる。
【００１２】
【発明の実施の形態】
＜第１実施形態＞
本発明の第１実施形態を図１〜図４によって説明する。
本実施形態に係る除電装置は、正極性及び負極性の直流高電圧が交互に印加される例えば１本の放電電極（以下、「共通放電電極１０」）と接地電極１１とを備えた、いわゆる交流電圧印加タイプのものである。そして、空気供給部１３からイオン生成室１２内に空気を出射することで、共通放電電極１０でのコロナ放電によりイオン生成室１２内に発生したイオンを、イオン生成室１２前方の空気放出口１２ａから外部へ放出するよう構成されている。
【００１３】
図２には本実施形態の具体的構成が示されている。一端側が外部に向けて開口した円柱状のイオン生成室１２のうち、一端側にはイオン生成室１２と同一径の空気放出口１２ａが形成される一方で、他端側は空気供給手段１４からの空気の供給路１５に連なる空気供給部１３の管路に連通している。この空気供給部１３の管路は、その先端側が先細状になっており、かつ、その先端開口部１３ａの内径が、やはりイオン生成室１２のそれより小さくなるよう形成されている。また、接地電極１１は環状をなし、共通放電電極１０の周囲を取り囲むようにイオン生成室１２の内壁面に埋設され、共通放電電極１０は、前記空気供給部１３の開口部１３ａ内に配され、かつ、針先１０ａがイオン生成室１２の前記空気放出口１２ａ付近に位置するように設けられている。
また、本実施形態では、イオン生成室１２の内側壁には共通放電電極１０の針先１０ａに近接した位置に圧力センサ１６が設けられている。
【００１４】
次に、本実施形態の回路構成について図３を参照しつつ説明する。本実施形態は、次述するように共通放電電極１０に対して１つの高電圧発生回路１７によって正負電圧を印加できる回路構成にすることで、装置の小型・低コスト化を図ることができるものとなっている。
【００１５】
高電圧発生回路１７は入力端子１７ａ，１７ｂに１次巻線が接続された昇圧トランス１８と、昇圧トランス１８の二次巻線の一端側と出力端子１７ｃとの間に接続されてグランドラインＧＮＤに対して正の直流電圧を生成するコッククロフト型の倍電圧整流回路１９とから構成されており、出力端子１７ｃから電圧Ｖ１　（Ｖ）の直流電圧を出力する。また、昇圧トランス１８の二次巻線の他端側が出力端子１７ｄに接続されている。
高電圧発生回路１７の入力端子１７ａには制御回路２０により開閉動作が行なわれるスイッチ２１が接続されており、このスイッチ２１に交流電圧電源２２が接続されている一方、出力端子１７ｃにはコンデンサ２３が接続され、さらにコンデンサ２３に上記共通放電電極１０が直列接続されている。また、入力端子１７ｂと出力端子１７ｄとの間には抵抗２４が接続され、このうち入力端子１７ｂがグランドラインＧＮＤに接続されているとともに、出力端子１７ｃ，１７ｄ間には抵抗２５が接続されている。また、コンデンサ２３と共通放電電極１０との共通接続点と出力端子１７ｄとの間には抵抗２６が接続されている。
【００１６】
制御回路２０は倍電圧発生回路１２から、パルス幅Ｔ、パルス間隔２Ｔの直流パルス電圧を出力させるために、交流電圧電源２２の周期よりも十分に長い周期（具体的には、交流電圧電源２２の周期の２倍以上の周期）でスイッチ２１を開閉動作させるようになっている。
なお、ＣＲ微分回路２７を構成するコンデンサ２３、共通放電電極１０及び抵抗２６の回路定数は、高電圧発生回路１７からのパルス電圧を、このＣＲ微分回路２７に印加したときに、コンデンサ２３の充電電圧がＶ１　（Ｖ）となるまでに要する時間がパルス幅Ｔよりも長り、かつ、直流パルス電圧を印加し続けた状態では、コンデンサ２３の充電電圧がＶ１　／２（Ｖ）となるように設定されている。
【００１７】
また、接地電極１１は電流測定用抵抗２８を介して接地されている。電流測定用抵抗２８には、共通放電電極１０でのイオン生成量に応じた電流が流れるから、この負荷電圧レベルを測定することで正イオン生成時及び負イオン生成時のそれぞれのイオン生成量を測定することが可能になる。従って、制御回路２０は、電流測定用抵抗２８の負荷電圧レベルを取り込むようになっていると共に、圧力センサ１６の出力信号を取り込むようになっている。
【００１８】
次に、上記構成の動作について説明する。
交流電圧電源２２からの交流電圧は所定周期で開閉動作するスイッチ２１により、間欠的に高電圧発生回路１７に供給され、出力端子１７ｃからは、図４（Ａ）に示すようパルス幅Ｔ、パルス間隔２Ｔの直流のパルス電圧が出力されてこの電圧がコンデンサ２３及び共通放電電極１０に印加される。
【００１９】
ここで、共通放電電極１０は抵抗素子とみなすことができるから、高電圧発生回路１７の出力端子１７ｃにはコンデンサ２３、共通放電電極１０及び抵抗２６からなる微分回路９が接続されているのと等価となる。従って、ＣＲ微分回路２７に直流パルス電圧が印加されると、共通放電電極１０の印加電圧は図４（Ｂ）に示すような波形となり、コンデンサ２３の充電電圧は同図（Ｃ）に示すような波形となる。
【００２０】
具体的には、高電圧発生回路１７の直流パルス電圧のうち立上りの区間▲１▼では、共通放電電極１０に直流パルス電圧の電圧値Ｖ１　（Ｖ）と同じ電圧値の正の電圧が印加されるとともに、コンデンサ２３の充電電圧が上昇し始め、電圧値一定の区間▲２▼ではコンデンサ２３の充電電圧が上昇し続けることで、共通放電電極１０の印加電圧は所定の傾きでもってゼロレベルに近づく。ここで、ＣＲ微分回路２７の時定数は直流パルス電圧のパルス幅よりも十分に大きくされているから、コンデンサ２３はほとんど充電されず、その充電電圧は直流パルス電圧の電圧値２＊Ｖ１　（Ｖ）にまで至らない。
なお、共通放電電極１０は非常に高い抵抗値（一般には、ギガオームオーダー）であるから、共通放電電極１０のみでコンデンサ２３を放電させることは非常に困難である。これに対して、本実施形態では共通放電電極１０と並列に抵抗２６を接続することにより、ＣＲ微分回路２７の抵抗成分の抵抗値を低下させ、コンデンサ２３の放電を促すようにしている。
【００２１】
そして、直流パルス電圧が立下りとなる区間▲３▼では、コンデンサ２３が放電されることで、その充電電圧が減少し始めるとともに、共通放電電極１０に負の電圧が印加される。直流パルス電圧が出力されていない区間▲４▼では、コンデンサ２３に蓄えられた電荷が放電されることでその充電電圧が減少するとともに、共通放電電極１０の印加電圧が所定の傾きでゼロレベルに近づく。また、コンデンサ２３は完全に放電されることが無く、所定の電圧で充電されている。
なお、出力パルス電圧のうち▲３▼の区間では、倍電圧整流回路１９を構成するコンデンサに蓄えられた電荷が抵抗２５を介して放電されるようになっており、これによって、共通放電電極１０の印加電圧の立下りが早くされる。
このようにコンデンサ２３は▲４▼の区間内で完全に放電されることがないから、上記の動作が繰り返されると、コンデンサ２３の充電電圧が徐々に上昇して、その電圧がＶ１　（Ｖ）に収束するとともに、共通放電電極１０の印加電圧のうち正の電圧のピーク値が徐々に低下して正負の電圧が同じとなる。
【００２２】
このような状態となると、直流パルス電圧が印加されるときには、共通放電電極１０には直流パルス電圧の電圧値２＊Ｖ１　（Ｖ）とコンデンサの充電電圧Ｖ１　（Ｖ）との差の電圧Ｖ１　（Ｖ）が印加され、パルス電圧が印加されていないときには、−Ｖ１　（Ｖ）の電圧が印加される。これによって、共通放電電極１０に放電開始電圧に相当する振幅を有する交流電圧が印加されることとなり、正負のイオンが交互に同じ量生成される。
なお、抵抗２４には、イオン電流（共通放電電極１０とグランドラインＧＮＤとの間に流れる電流）相当の電流が流れ、その印加電圧を計測することで、イオン電流を検出することができるようになっており、電流測定用抵抗２８の代わりに抵抗２４の負荷電圧レベルに基づいて制御回路２０においてイオン生成量を測定する構成としても良い。
【００２３】
ここで、図１に示すように、イオン生成量は、例えば共通放電電極１０に周囲空気中の埃等が付着したり、長期使用により放電電極の先端が磨耗したりする異常状態（除電不良）となったときだけでなく、周囲気圧の変化によっても変動する。また、この変化は、共通放電電極１０の形状、接地電極１１との距離等によって異なる。そこで、本実施形態では、共通放電電極１０に埃等の付着や先端磨耗が生じていない状態（正常時状態）にある除電装置を駆動させつつ共通放電電極１０の周囲気圧を変化させて、各周囲気圧毎に電流測定用抵抗２８の負荷電圧レベルを測定し、それら各負荷電圧レベル（以下、「最適レベル」）が、それに対応する周囲気圧時での圧力センサ１６からの出力レベルと対応付けられて図示しないメモリに記憶されている。
【００２４】
除電装置を起動させると、制御回路２０は、本発明の「除電不良検知手段」として機能する。具体的には、制御回路２０は、例えばスイッチ２１の開閉動作に同期して圧力センサ１６からの出力レベルと電流測定用抵抗２８の負荷電圧レベルとを順次取り込む。そして、圧力センサ１６からの出力レベルに対応する上記最適レベルを読み出して、その最適レベルから上下に所定値だけシフトさせた２つの基準レベルを算出し、電流測定用抵抗２８の負荷電圧レベルが、両基準レベル間の範囲内にあれば正常であるとみなす一方で、両基準レベル間の範囲外にあれば上記除電不良であるとして、検知信号を出力させるよう出力回路２９を制御する。従って、本実施形態では上記２つの基準レベル間に挟まれるレベル範囲が本発明の「基準レベル」に相当する。
【００２５】
さて、例えば空気供給部１３から空気を送給量を変えてイオン生成室１２からの空気イオンの出射量を変えると、これに応じて共通放電電極１０の周囲気圧は変動する。しかしながら、以上の構成のように、測定される電流測定用抵抗２８の負荷電圧を、そのときの周囲気圧下における基準イオン生成量に対応した基準レベルと比較することにより除電不良を検知する構成としたから、何ら除電不良が生じていないにもかかわらず周囲気圧変化によって除電不良であるとの誤判定を引き起こすことを回避でき、正確に除電不良を検知することが可能になる。そして、出力回路２９からの検知信号に基づき、例えば、警告音を鳴らしたり発光手段を点灯させたりするなど除電不良を外部に報知させる構成や、除電装置自体を停止させる構成などを用いることにより十分な除電効果が得られない除電不良下で継続して使用されるといった問題を回避することができる。
【００２６】
＜第２実施形態＞
本発明の第２実施形態を図５及び図６によって説明する。
本実施形態に係る除電装置は、正極性及び負極性の直流高電圧がそれぞれ印加される正負１対の放電電極３０，３１を備えた、いわゆる直流電圧印加タイプのものである。そして、空気供給口３３，３３からイオン生成室３２内に空気を出射することで各放電電極３０，３１でのコロナ放電により発生したイオンを、イオン生成室３２に連通する噴射ノズル３５から外部へ噴射させるよう構成されている。
【００２７】
図５には本実施形態の具体的構成が示されている。イオン生成室３２は、すり鉢状（先端先細状）の壁面を有し、その先端側に空気放出口３４が形成されている。また、その空気放出口３４には、例えば屈曲可能な噴射ノズル３５の一端側に装着された導風接続部３５ａが螺着され、これによりイオン生成室３２と、噴射ノズル３５とが連通している。
次いで、イオン生成室３２のうち前記空気放出口３４の対向壁面には、図示しない気体供給手段から供給される空気をイオン生成室３２内に高速で出射する１対の空気供給部３６，３６が、それぞれの空気供給口３３，３３を空気放出口３４側に向けて配されている。このような構成により、各空気供給部３６，３６から出射された空気は、イオン生成室３２内の前記すり鉢状の壁面に沿って空気放出口３４に導かれることになる。
【００２８】
そして、前記対向壁面には、その１対の空気供給部３６，３６のそれぞれの内側に、針先３０ａ，３１ａを空気放出口３４側に向けて配された正負１対の放電電極３０，３１が先端部分を露出させた状態で埋設されており、その針先３０ａ，３１ａが、空気供給部３６，３６の空気供給口３３，３３の近傍に位置するよう位置調整されている。より詳しくは、各放電電極３０，３１は、その針先３０ａ，３１ａの手前を空気供給口３３，３３からの出射される空気が通過するように配置されている。なお、このような構成としたのは、イオン生成室３２全体の気圧が上昇するような場合であっても、放電電極３０，３１の針先３０ａ，３１ａ周囲の気圧上昇を抑えてコロナ放電の安定化を図るためである。
【００２９】
さて、本実施形態では、前記対向壁面の中央には小径の連通穴３７が形成され、その奥に圧力センサ３８が配されて、本発明の「気圧測定手段」が構成されている。また、その隣には、本発明の「温度測定手段」に相当するサーミスタ３９が配されている。これらにより一対の放電電極３０，３１の周囲気圧及び周囲温度を測定することができる。
【００３０】
次に、本実施形態の回路構成について図６を参照しつつ説明する。同図に示すように、本実施形態では、制御回路４０からの制御信号レベルに応じて出力電圧振幅を調整可能な一対の交流電圧電源４１，４２が、前記一対の放電電極３０，３１のそれぞれに対応して設けられている。このうち一方の交流電圧電源４１の出力は、トランス４３、負極性の倍電圧整流回路４４及び電流測定用抵抗４５を介して一方の放電電極３０に接続されている。これによりこの一方の放電電極３０には、負極性の直流電圧が印加され、コロナ放電により負のイオンが生成される（以下、この一方の放電電極を「負極放電電極３０」という）。一方、他方の交流電圧電源４２の出力は、トランス４６、正極性の倍電圧整流回路４７及び電流測定用抵抗４８を介して他方の放電電極３１に接続されている。これによりこの他方の放電電極３１には、正極性の直流電圧が印加され、コロナ放電により正のイオンが生成される（以下、この他方の放電電極を「正極放電電極３１」という）。
【００３１】
また、各トランス４３，４６の２次側コイルと接地との間には電流測定用抵抗４５，４８がそれぞれ接続されている。正極及び負極の各放電電極３０，３１で生成される正及び負のイオンの生成量に略比例して電流測定用抵抗４５，４８に流れる電流が変化するから、これら各電流測定用抵抗４５，４８の負荷電圧（分担電圧）を測定することで各放電電極でのイオン生成量を測定することが可能となる。従って、これら電流測定用抵抗４５，４８は、本発明の「イオン生成量測定手段」に相当する。制御回路４０は、各電流測定用抵抗４５，４８の負荷電圧を取り込むと共に、圧力センサ３８及びサーミスタ３９からのそれぞれの出力信号を取り込むように構成されている。
【００３２】
次いで、本実施形態では、正極及び負極の各放電電極３０，３１に埃等の付着や先端磨耗が生じていない状態（正常時状態）にある除電装置を駆動させつつイオン生成室３２内の周囲気圧及び周囲温度を変化させて、各周囲気圧及び周囲温度の組合せ毎に電流測定用抵抗４５，４８の負荷電圧レベルを測定し、それら各負荷電圧レベル（以下、「最適レベル」）が、それに対応する周囲気圧及び周囲温度時での圧力センサ３８及びサーミスタ３９からの出力レベルと対応付けられて図示しないメモリに記憶されている。
【００３３】
除電装置を起動させると、制御回路４０は、所定のタイミングで圧力センサ３８及びサーミスタ３９からの出力レベルと電流測定用抵抗４５，４８の負荷電圧レベルとを順次取り込む。そして、圧力センサ３８及びサーミスタ３９からの出力レベルの組合せに対応する上記最適レベルを読み出して、その最適レベルから上下に所定値だけシフトさせた２つの基準レベルを算出し、電流測定用抵抗４５，４８の負荷電圧レベルが、両基準レベル間の範囲内にあれば正常であるとみなす一方で、両基準レベル間の範囲外にあれば上記除電不良であるとして例えば動作表示灯４９を点灯させるよう動作する。
【００３４】
このような構成によれば、正極及び負極の各放電電極３０，３１の周囲気圧変化だけでなく、周囲温度が変化する場合であっても除電不良を正確に検知することができる。
【００３５】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）上記第２実施形態ではサーミスタ３９を設けて周囲圧力に加えて周囲温度に応じた基準レベルに基づき除電不良を検知する構成としたが、イオン生成量は、周囲気圧の変化によって大きく変動し、周囲温度の変化によっては相対的に変動が小さい。従って、第１実施形態のように圧力センサ１６だけ設けて、その測定気圧に応じた基準レベルに基づき除電不良を検知する構成であっても良い。
【００３６】
（２）更に、上記各実施形態の構成に加えて放電電極１０，３０，３１の近傍に湿度センサを設けて、第１実施形態では圧力センサ１６及び湿度センサからの出力信号の組合せ、第２実施形態では圧力センサ３８、サーミスタ３９及び湿度センサからの出力信号の組合せに基づき基準レベルを定める構成であっても良い。
【００３７】
（３）また、基準レベルを、リーク、汚れ劣化、針無しなどの異常状態に対応して複数設けて、これらと電流測定用抵抗２８，４５，４８からの負荷電圧レベルとの比較結果に応じた検知信号を出力するようにして、単に除電不良の有無だけでなく、それぞれの異常状態を識別できるようにしても良い。
【００３８】
（４）上記各実施形態では、メモリには、正常時状態時における電流測定用抵抗２８，４５，４８の負荷電圧レベル（最適レベル）を記憶する構成としたが、これに限らず、上記最適レベルから所定値だけ上下にシフトさせた２の基準レベルをメモリに記憶する構成であっても良い。
【００３９】
（５）また、メモリ等の記憶手段を設けることなく、除電不良の検知動作の度に、圧力センサ１６，３８やサーミスタ３９からの出力信号に基づき所定の演算式によって基準レベルを算出して、電流測定用抵抗２８，４５，４８の負荷電圧レベルと比較する構成であっても良い（請求項１の発明に含まれる構成）。
【図面の簡単な説明】
【図１】気圧と正負イオンの生成量との関係を示したグラフ
【図２】第１実施形態に係る除電装置のイオン生成室部分の断面図
【図３】その回路構成図
【図４】高電圧発生回路の出力電圧と印加電圧の時間的変化を示した図
【図５】第２実施形態に係る除電装置のイオン生成室部分の断面図
【図６】その回路構成図
【符号の説明】
１０，３０，３１…放電電極
１２，３２…イオン生成室
１６，３８…圧力センサ（気圧測定手段）
２０，４０…制御回路（除電不良検知手段）
２２，４１，４２…交流電圧電源
２８，４５，４８…電流測定用抵抗（イオン生成量測定手段）
３９…サーミスタ（周囲雰囲気測定手段）
【図１】
2004127858.tif 000003
【図２】
2004127858.tif 000004
【図３】
2004127858.tif 000005
【図４】
2004127858.tif 000006
【図５】
2004127858.tif 000007
【図６】
2004127858.tif 000008